【手続補正書】
【提出日】平成22年11月2日(2010.11.2)
【手続補正１】
【補正対象書類名】明細書
【補正対象項目名】００３９
【補正方法】変更
【補正の内容】
【００３９】
図５は、ハウジング（１１２）の断面斜視図であり、上述した図では見えなかった追加的な特徴を示す。図示される如く、開口部（２０８）は、第１周辺（５００）、第２周辺（５０２）、第３周辺（５０４）及び第４周辺（５０６）を有する。第１周辺（５００）は、レンズユニット（１１４）の外面（４１２）（図４）と摺動自在に接触するように形成された円筒内壁（５０８）によって規定される。第２周辺（５０２）は、レンズユニット（１１４）の外面（４１４）と摺動自在に接触するように形成された円筒内壁（５１０）によって規定される。
【手続補正２】
【補正対象書類名】特許請求の範囲
【補正対象項目名】全文
【補正方法】変更
【補正の内容】
【特許請求の範囲】
【請求項１】
画像取込面を含む画像取込装置と、
前記画像取込装置の前記画像取込面に対して垂直に延伸する本体部を含むレンズユニットとを備えるカメラモジュールであって、
前記本体部が、前記画像取込面に対して平行な第１外周辺を有する第１面を含み、
前記カメラモジュールはさらに、
前記画像取込装置に連結される取付部と前記レンズユニットを収容するための開口部を規定する収容部とを含むハウジングを備え、
前記開口部が、第１内周辺を有する第１面と第２内周辺を有する第２面を含み、
前記第１内周辺が前記第２内周辺よりも小さく、
前記開口部の前記第１面が、前記開口部の前記第２面と前記画像取込装置との間に配され、
前記レンズユニットの前記第１面が、前記開口部の前記第１面と摺動自在に接触し、
前記レンズユニットが前記画像取込面に対して垂直軸方向に所定距離移動した時に、前記レンズユニットの前記第１面と前記開口部の前記第１面との接触が維持されることにより、前記レンズユニットの前記第１面と前記開口部の前記第１面との間の汚染物質の通過を防ぐことを特徴とするカメラモジュール。
【請求項２】
前記開口部の前記第１面と前記開口部の前記第２面が、第１汚染物質収集面によって連結されることを特徴とする請求項１記載のカメラモジュール。
【請求項３】
前記第１汚染物質収集面が、前記画像取込面に対して平行な平面を有することを特徴とする請求項２記載のカメラモジュール。
【請求項４】
前記第１汚染物質収集面が溝を規定することを特徴とする請求項２記載のカメラモジュール。
【請求項５】
前記第１汚染物質収集面が、前記画像取込面に対して傾斜していることを特徴とする請求項２記載のカメラモジュール。
【請求項６】
前記レンズユニットの前記第１面が、前記開口部の前記第１面の範囲内と前記開口部の前記第２面の範囲内に同時に配されていることを特徴とする請求項１記載のカメラモジュール。
【請求項７】
前記レンズユニットが、第２外周辺を有する第２面をさらに含み、
前記第２外周辺が前記第１外周辺よりも大きく、
前記レンズユニットの前記第２面が、前記開口部の前記第２面と摺動自在に接触することを特徴とする請求項１記載のカメラモジュール。
【請求項８】
前記レンズユニットの前記第２面と前記開口部の前記第２面のうち少なくとも１つが、複数の突出部を規定して配置することにより、前記レンズユニットの前記第２外面と前記開口部の前記第２内周辺との間を摺動自在に接触可能とすることを特徴とする請求項７記載のカメラモジュール。
【請求項９】
前記突出部が前記画像取込面に対して垂直に延伸するリブであることを特徴とする請求項８記載のカメラモジュール。
【請求項１０】
前記開口部の前記第１面と前記開口部の前記第２面が、第１移行面によって連結され、
前記レンズユニットの前記第１面と前記レンズユニットの前記第２面が、第２移行面によって連結されることを特徴とする請求項７記載のカメラモジュール。
【請求項１１】
前記第１移行面、前記開口部の前記第２面、前記第２移行面及び前記レンズユニットの前記第１面が、前記画像取込面から離れた空間を密閉することを特徴とする請求項１０記載のカメラモジュール。
【請求項１２】
前記密閉空間が、環状空間であって、
前記環状空間の体積が、前記レンズユニットと前記画像取込装置との間の距離が大きくなるにつれて増大することを特徴とする請求項１１記載のカメラモジュール。
【請求項１３】
前記開口部が、第３内周辺を有する第３面をさらに含み、
前記第３内周辺が前記第２内周辺よりも大きく、
前記開口部の前記第２面が、前記開口部の前記第３面と前記画像取込装置との間に配され、
前記レンズユニットが、第３外周辺を有する第３面をさらに含み、
前記第３外周辺は前記第２外周辺よりも大きく、
前記レンズユニットの前記第３面が前記開口部の前記第３面と摺動自在に接触することを特徴とする請求項１０記載のカメラモジュール。
【請求項１４】
前記レンズユニットの前記第３面と前記開口部の前記第３面のうち少なくとも１つが、複数の突出部を規定して配置することにより、前記レンズユニットの前記第３面と前記開口部の前記第３面との間を摺動自在に接触可能とすることを特徴とする請求項１３記載のカメラモジュール。
【請求項１５】
前記突出部が、前記画像取込面に対して垂直に延伸することを特徴とする請求項１４記載のカメラモジュール。
【請求項１６】
前記開口部の前記第２面と前記開口部の前記第３面が、第３移行面によって連結され、
前記レンズユニットの前記第２面と前記レンズユニットの前記第３面が、第４移行面によって連結されることを特徴とする請求項１３記載のカメラモジュール。
【請求項１７】
前記第１移行面、前記開口部の前記第２面、前記第２移行面、及び前記レンズユニットの前記第１面が、前記画像取込面から離れた空間を密閉し、
前記開口部の前記第３面、前記第３移行面、前記レンズユニットの前記第２面、及び前記第４移行面が、前記画像取込面から離れた第２の空間を密閉することを特徴とする請求項１６記載のカメラモジュール。
【請求項１８】
前記密閉空間が、環状であって、
前記密閉空間の体積が、前記レンズユニットと前記画像取込装置との間の距離が大きくなるにつれて増大し、
前記第２密閉空間が、環状であって、
前記第２密閉空間の体積が、前記レンズユニットと前記画像取込装置との間の距離が大きくなるにつれて増大することを特徴とする請求項１７記載のカメラモジュール。
【請求項１９】
前記開口部が、第４内周辺を有する第４面をさらに含み、
前記第４内周辺が前記第３内周辺よりも大きく、
前記開口部の前記第３内周辺が、前記開口部の前記第４内周辺と前記画像取込装置との間に配されることを特徴とする請求項１７記載のカメラモジュール。
【請求項２０】
前記レンズユニットが、第４外周辺を有する第４面を含み、
前記第４外周辺が、前記第３外周辺よりも大きく、
前記レンズユニットの前記第４面が、前記開口部の第４面と摺動自在に接触することを特徴とする請求項１９記載のカメラモジュール。
【請求項２１】
前記レンズユニットの前記第３面と前記開口部の前記第４面のうち少なくとも１つが、複数の突出部を規定して配置することにより、前記レンズユニットの前記第３面と前記開口部の前記第４面との間を摺動自在に接触可能とすることを特徴とする請求項２０記載のカメラモジュール。
【請求項２２】
前記突出部が、前記画像取込面に対して垂直に延伸することを特徴とする請求項２１記載のカメラモジュール。
【請求項２３】
前記開口部の前記第３面と前記開口部の前記第４面が、第５移行面によって連結されることを特徴とする請求項２０記載のカメラモジュール。
【請求項２４】
前記レンズユニットの前記第３面、前記第５移行面、前記開口部の前記第４面が汚染物質トラップを規定することを特徴とする請求項２３記載のカメラモジュール。
【請求項２５】
前記汚染物質トラップが、環状空間を含み、
前記環状空間の体積が、前記レンズユニットと前記画像取込装置との間の距離が大きくなるにつれて増大することを特徴とする請求項２４記載のカメラモジュール。
【請求項２６】
前記レンズユニットと前記ハウジングのうちの一方の上に配される傾斜路と、
前記レンズユニットと前記ハウジングの他方の上に配される傾斜路係合構造をさらに含むことを特徴とする請求項１記載のカメラモジュール。
【請求項２７】
前記傾斜路係合構造が、前記傾斜路に相補的な第２傾斜路を含むことを特徴とする請求項２６記載のカメラモジュール。
【請求項２８】
前記傾斜路が、前記レンズユニットと前記ハウジングとを接着させるための接着剤を収容する凹部を規定することを特徴とする請求項２６記載のカメラモジュール。
【請求項２９】
前記凹部が、前記傾斜路上に形成された溝であることを特徴とする請求項２８記載のカメラモジュール。
【請求項３０】
前記レンズユニット上に形成された一連のネジ山と、
前記ハウジング上に形成された相補的な一連のネジ山とをさらに含むことを特徴とする請求項１記載のカメラモジュール。
【請求項３１】
画像取込装置と、
レンズユニットと、
前記画像取込装置に対して固定されるとともに前記レンズユニットを収容するための開口部を規定するハウジングとを備えるカメラモジュールであって、
前記ハウジングが、前記レンズユニットを前記画像取込装置に対して位置合わせをし、
前記カメラモジュールはさらに、
前記レンズユニットを前記ハウジングに対して一時的に固定するための固定機構を備え、
前記固定機構は、第１部分と第２部分を備え、
前記第１部分が前記レンズユニット上に形成されるとともに前記第２部分が前記ハウジング上に形成されることを特徴とするカメラモジュール。
【請求項３２】
画像取込装置と、
外面を含むレンズユニットと、
前記画像取込装置に連結される取付部と前記レンズユニットを収容するための開口部を有する収容部とを含むハウジングとを備えるカメラモジュールであって、
前記開口部が、前記ハウジングの内面によって規定され、
前記カメラモジュールはさらに、
前記レンズユニットの前記外面と前記ハウジングの前記内面のうち少なくとも１つの上に形成される複数の突出部を備え、
前記突出部が、前記レンズユニットのレンズの光軸と平行に延伸するとともに、前記レンズユニットの前記外面と前記ハウジングの前記内面との間を摺動自在に接触するよう機能し、
前記突出部が十分な距離を延伸することにより、前記光軸に対する前記レンズユニットの傾斜を制限することを特徴とするカメラモジュール。
【請求項３３】
画像取込装置を準備する工程と、
ハウジングを準備する工程と、
レンズユニットを準備する工程と、
前記レンズユニットを前記ハウジングに対して一時的に固定するための固定機構を準備する工程とを備えるカメラモジュールの製造方法であって、
前記レンズユニットが、前記固定機構の第１部分を含み、
前記ハウジングが、前記固定機構と相補的な第２部分を含み、
前記カメラモジュールの製造方法はさらに、
前記ハウジングを前記画像取込装置に取り付ける工程と、
前記レンズユニットを前記ハウジングに取り付ける工程と、
前記レンズユニットを回転することにより、前記固定機構の前記第１部分と前記固定機構の前記第２部分とを係合させる工程と、
前記カメラモジュールに追加的な製造工程を実施する工程と、
前記レンズユニットを回転することにより、前記固定機構の前記第２部分から前記固定機構の前記第１部分を外す工程と、
前記レンズユニットの焦点を調節する工程と、
前記レンズユニットを前記ハウジングに対して固定する工程とを備えるカメラモジュールの製造方法。